(57)【要約】【課題】蒸気排出装置への室内配線や蒸気排出装置と家電機器用のコンセントとを結ぶ送り配線のための配線収納スペースをキャビネット内にて効率良く確保するとともに、配線防湿効果をも確保することができ、且つ蒸気排出装置の取付け取外しも容易に可能な、新しいキャビネットを提供する。【解決手段】キャビネット（１）後方から背板（１１）を通ってキャビネット（１）内に入り込む室内配線（２１）が装置後側にて接続される蒸気排出装置（２）を備えたキャビネット（１）において、装置後側と背板（１１）との間に前記室内配線（２１）を収納する配線収納ケース（６）を設ける。【選択図】　図１
2004105279.tif 000002
【特許請求の範囲】
【請求項１】
キャビネット後方からキャビネット背板を通ってキャビネット内に入り込む室内配線が装置後側にて接続される蒸気排出装置を備えたキャビネットであって、装置後側とキャビネット背板との間に前記室内配線を収納する配線収納ケースが備えられていることを特徴とするキャビネット。
【請求項２】
キャビネット後方からキャビネット背板を通ってキャビネット内に入り込む室内配線が装置後側にて接続される蒸気排出装置を備え、且つキャビネット内に収納される家電機器用のコンセントを備えたキャビネットであって、装置後側とキャビネット背板との間に前記室内配線ならびにコンセントと蒸気排出装置とを結ぶ送り配線を収納する配線収納ケースが備えられていることを特徴とするキャビネット。
【請求項３】
配線収納ケースが、蒸気排出装置と対向する前側に少なくとも作業者の指先が入る程度の大きさの開口部を有していることを特徴とする請求項１または２記載のキャビネット。
【請求項４】
配線収納ケースが、蒸気排出装置と接する部位にパッキンを有していることを特徴とする請求項１ないし３のいずれかに記載のキャビネット。
【請求項５】
配線収納ケースが、板材の折り曲げにより形成されたものであることを特徴とする請求項１ないし４のいずれかに記載のキャビネット。
【発明の詳細な説明】
【０００１】
【発明の属する技術分野】
この出願の発明は、キャビネットに関するものである。さらに詳しくは、この出願の発明は、蒸気排出装置が着脱自在に取付可能とされたキャビネットに有用な、蒸気排出装置への室内配線や蒸気排出装置と家電機器用のコンセントとを結ぶ送り配線のための配線収納スペースをキャビネット内にて効率良く確保するとともに、配線防湿効果をも確保することができ、且つ蒸気排出装置の取付け取外しも容易に行うことのできる、新しいキャビネットに関するものである。
【０００２】
【従来の技術】
従来、加熱時に蒸気を発生する炊飯器や電気ポット、コーヒーメーカなどの家電機器を収納するキャビネットにおいては、結露やカビ発生を防止すべく、蒸気をキャビネット外へ排出するための蒸気排出装置をキャビネット内に備えることが知られている（たとえば特許文献１参照）。
【０００３】
【特許文献１】
特開２００２−８１７１０号公報
【０００４】
【発明が解決しようとする課題】
しかしながら、蒸気排出装置をキャビネット内に備える場合、蒸気排出装置自体の配線を収納するスペースが必要であり、特に特許文献１に記載のように蒸気排出装置をキャビネットに対して着脱自在とする場合には、蒸気排出装置をキャビネット前方へ取り出すために必要な長さの配線を収納するのに十分な大きさの配線スペースが、必要とされる。
【０００５】
この配線スペースについては、たとえば図５に例示しようにキャビネット（１）の背板（１１）を前方へずらして、背板（１１）と壁面（５）との間に形成されるスペースを室内配線（２１）を収納する配線スペース（ア）とする構造が考えられるが、これでは炊飯器等の家電機器（３）を収納するキャビネット（１）内空間が狭くなってしまうという不都合が考えられる。
【０００６】
また、キャビネット（１）内には家電機器（３）の電源コード（３１）を差し込むコンセント（４）も備えられており、そのコンセント（４）と蒸気排出装置（２）との間の送り配線（４１）も配線スペース（ア）に収納する必要がある。
【０００７】
もちろんこれらの室内配線（２１）や送り配線（４１）については、家電機器（３）からの蒸気との接触を防ぐ対策も必要とされる。
【０００８】
この出願の発明は、以上のとおりの事情に鑑みてなされたものであり、蒸気排出装置（２）への室内配線（２１）や蒸気排出装置（２）と家電機器（３）用のコンセント（４）とを結ぶ送り配線（４１）を収納するスペースをキャビネット（１）内空間の犠牲を極力抑えながら確保するとともに、それらの配線に対する防湿効果をも確保することができ、且つ蒸気排出装置（２）の取付け取外しを容易に行うことのできる、新しいキャビネットを提供することを課題としている。
【０００９】
【課題を解決するための手段】
この出願の発明は、上記の課題を解決するものとして、第１には、キャビネット後方からキャビネット背板を通ってキャビネット内に入り込む室内配線が装置後側にて接続される蒸気排出装置を備えたキャビネットであって、装置後側とキャビネット背板との間に前記室内配線を収納する配線収納ケースが備えられていることを特徴とするキャビネット、第２には、キャビネット後方からキャビネット背板を通ってキャビネット内に入り込む室内配線が装置後側にて接続される蒸気排出装置を備え、且つキャビネット内に収納される家電機器用のコンセントを備えたキャビネットであって、装置後側とキャビネット背板との間に前記室内配線ならびにコンセントと蒸気排出装置とを結ぶ送り配線を収納する配線収納ケースが備えられていることを特徴とするキャビネットを提供する。
【００１０】
またこの出願の発明は、第３には、前記配線収納ケースが、蒸気排出装置と対向する前側に少なくとも作業者の指先が入る程度の大きさの開口部を有していることを特徴とするキャビネット、第４には、前記配線収納ケースが、蒸気排出装置と接する部位にパッキンを有していることを特徴とするキャビネット、第５には、前記配線収納ケースが、板材の折り曲げにより形成されたものであることを特徴とするキャビネットを提供する。
【００１１】
【発明の実施の形態】
上述のとおりの特徴を有するこの出願の発明は、たとえば前記特許文献１や図５に示されているようなキャビネット（１）、つまりキャビネット（１）後方から背板（１１）を通ってキャビネット（１）内に入り込む室内配線（２１）が装置後側にて接続される蒸気排出装置（２）を着脱自在に有するキャビネット（１）にあって、蒸気排出装置（２）の室内配線（２１）を収納するスペースをキャビネット（１）内空間の犠牲を極力抑えながら確保するとともに、室内配線（２１）に対する防湿効果をも確保すべく、たとえば図１および図２に例示したように、蒸気排出装置（２）後側と背板（１１）との間に室内配線（２１）を収納する配線収納ケース（６）を備えるようにしている。
【００１２】
より具体的には、この配線収納ケース（６）は、キャビネット（１）後方からの室内配線（２１）が通り抜ける後開口部（６１）および前開口部（６２）をキャビネット（１）の背板（１１）と対向する後側および蒸気排出装置（２）と対向する前側に有したケース体となっており（図２参照）、蒸気排出装置（２）をキャビネット（１）前方からキャビネット（１）内へ取り付けたときに、蒸気排出装置（２）後側と背板（１１）との間に位置して、室内配線（２１）を収納するスペースをケース内空間で確保している。そしてさらに、キャビネット（１）内に収納される炊飯器等の家電機器（３）から発生する蒸気がケース内に入り込まないような構造にもなっており、配線収納スペースとしてのケース内空間をキャビネット（１）内から密閉された空間としている。
【００１３】
この配線収納ケース（６）によれば、図５に例示したように背板（１１）全体を室内配線（２１）の収納用に前方に大きくずらす必要はなくなり、配線収納ケース（６）を設けているとしてもその設置位置は蒸気排出装置（２）の後側なのでもともと家電機器（３）を収納する位置ではなく、よって配線収納のための家電収納スペースの犠牲を極力抑えることができ、且つ室内配線（２１）自体に対する防湿効果つまり蒸気からの保護をも実現できるのである。蒸気排出装置（２）の取付け取外しも、配線収納に手間取ることなく容易に行うことができる。
【００１４】
また、図１に例示したように、配線収納ケース（６）は、家電機器（３）の電源コード（３１）用のコンセント（４）と蒸気排出装置（２）とを結ぶ送り配線（４１）をも、室内配線（２１）とともに収納することができる。この場合、コンセント（４）から配線収納ケース（６）までの送り配線（４１）はキャビネット（１）の背板（１１）の後側を通すことが好ましいため、背板（１１）を若干前に出してあるが、当然図５の従来例よりも前に出す量は少なくて済み、キャビネット（１）内空間はより広く確保できている。
【００１５】
また、上述のようにケース内空間をキャビネット（１）内から密閉された空間とすることは、蒸気排出装置（２）がキャビネット（１）前方から取り付けられる際に配線収納ケース（６）の前側と密接することで可能となるが、より高い密閉度を確保するために、たとえば図２に例示したように、蒸気排出装置（２）と接する前側縁部分等の部位にパッキン（６３）を周設することが好ましい。図２では、蒸気排出装置（２）後側の配線接続部（２２）の周囲にもパッキン（２３）が設けられており、パッキン（６３）との相乗効果でより一層高い密閉度を実現している。
【００１６】
図３（ａ）（ｂ）は、各々、配線収納ケース（６）の一実施形態を例示したものである。この配線収納ケース（６）の前開口部（６２）については、たとえば図３（ａ）のように縁にパッキン（６３）を周設した全面オープン型とすることが、配線作業がよりし易く、防湿効果もパッキン（６３）が線状の縁により効果的に蒸気排出装置（２）に押圧されるのでより高くなることから好ましいが、図３（ｂ）のように少なくとも作業者の指先が入る程度の大きさを有するものとすれば、配線作業は十分にし易く、防湿効果も十分に得られる。もちろん後開口部（６１）についても全面オープン型や少なくとも上記大きさのものとできる。
【００１７】
パッキン（６３）については、ケース内への蒸気浸入を防止するだけでなく、室内配線（２１）や送り配線（４１）を前開口部（６２）との接触擦れから保護するゴムブッシュとしての役割をも兼ねている。図３（ａ）（ｂ）では後開口部（６１）にもパッキン（６３）が周設されており、同様に防湿効果ならびに配線保護効果を実現している。
【００１８】
なおもちろん、図４に例示したように、後開口部（６１）および前開口部（６２）の開口寸法Ｓ１は背板（１１）に設けられた配線用開口部（１２）の開口寸法Ｓ２よりも大きくしておくことが、配線収納上好ましい。
【００１９】
以上の配線収納ケース（６）は、蒸気排出装置（２）やその配線接続部（２２）の大きさ、収納する室内配線（２１）や送り配線（４１）の長さなどに応じたケース内空間を確保する必要があるため、たとえば板材の折り曲げにより形成されたものとすることも好ましい。板幅や板長を適宜変えることで簡単に寸法変更可能だからである。
【００２０】
もちろんこの出願の発明は以上の実施形態に限定されるものではなく、細部については様々な態様が可能である。
【００２１】
【発明の効果】
以上詳しく説明したとおり、この出願の発明によって、蒸気排出装置への室内配線や蒸気排出装置と家電機器用のコンセントとを結ぶ送り配線を収納するスペースをキャビネット内空間の犠牲を極力抑えながら効率良く確保するとともに、それら各配線に対する防湿効果をも確保することができ、且つ蒸気排出装置の取付け取外しを容易に行うことのできる、新しいキャビネットが提供される。
【図面の簡単な説明】
【図１】この出願の発明の一実施形態を例示した断面図である。
【図２】この出願の発明の一実施形態を例示した斜視図である。
【図３】（ａ）（ｂ）は、各々、配線収納ケースの一実施形態を例示した斜視図である。
【図４】配線収納ケースを説明するための図である。
【図５】蒸気排出装置を備えたキャビネットの一従来例を示した断面図である。
【符号の説明】
１　キャビネット
１１　背板
１２　配線用開口部
２　蒸気排出装置
２１　室内配線
２２　配線接続部
２３　パッキン
３　家電機器
３１　電源コード
４　コンセント
４１　送り配線
５　壁面
６　配線収納ケース
６１　後開口部
６２　前開口部
６３　パッキン
ア　配線スペース
【図１】
2004105279.tif 000003
【図２】
2004105279.tif 000004
【図３】
2004105279.tif 000005
【図４】
2004105279.tif 000006
【図５】
2004105279.tif 000007